(57)【要約】【課題】この発明は、装着部位に作用して、装着部位の運動機能を向上させることのできる着用物を提供することを目的とする。【解決手段】周方向に覆うように前腕１３２に装着し、前腕１３２を周方向に締め付ける筒状部１１を備えたリストバンド１０であって、リストバンド１０の骨側断面１３２ａ側半面に、前腕１３２の骨側断面１３２ａを圧迫するプレスプレート８０を備え、骨側断面１３２ａ側半面を尺骨側であり、総指伸筋や尺側手根伸筋がある半断面に設定した。【選択図】図１
2009102780.tif 000002
【特許請求の範囲】
【請求項１】
装着部位を周方向に覆う様に体の一部に装着し、装着部位を周方向に締め付ける筒状部を備えた着用物であって、
前記筒状部の周方向半分に、装着部位を圧迫する圧迫手段を備え、
前記周方向半分を、
前記装着部位において、骨が体表面に近い側の骨側半面に設定した
着用物。
【請求項２】
前記骨側半面は、
上肢における肘側の肘側半面、下肢における膝側の膝側半面、或いは胴部における背中側半面であることを特徴とする
請求項１に記載の着用物。
【請求項３】
前記圧迫手段を、
適宜の弾性を有し、前記筒状部の軸方向に配設した弾性圧迫部材で構成した
請求項１又は２に記載の着用物。
【請求項４】
前記弾性圧迫部材を、
脱着可能に複数備えた
請求項３に記載の着用物。
【請求項５】
前記筒状部を、
チタン成分、ラジウム成分またはブラックシリカ成分のうち少なくともひとつを有する布材で構成した
請求項１から４のうちいずれかに記載の着用物。
【請求項６】
前記布材を
弾性を有する弾性シート層と、
チタン成分を含有するチタンシート層と、
ラジウム成分及びブラックシリカ成分を含有し、前記弾性シート層と前記チタンシート層とを貼合する接着剤と、
該接着剤で貼合した前記弾性シート層及び前記チタンシート層の表面を被覆する表皮層とで構成した
請求項５に記載の着用物。
【請求項７】
前記布材の一部同士を、前記軸方向に対して平行に、導電性を有する導電性糸材で縫合して筒状を形成した
請求項５又は６に記載の着用物。
【請求項８】
前記筒状部の前記骨側半面に、
前記布材より高い弾性係数を有する弾性補強手段を備えた
請求項５、６又は７に記載の着用物。
【発明の詳細な説明】
【技術分野】
【０００１】
この発明は、例えば、装着した部位およびその周辺の運動機能を向上させる着用物に関する。
【背景技術】
【０００２】
健康志向によって、ウォーキングやゴルフ等の運動が盛んに行われている昨今において、より効率的に筋力や瞬発力等を向上させるための練習方法や用具が開発され、例えば、装着することで下肢の筋力を補助するサポータが提案されている（特許文献１参照）。
【０００３】
このサポータは、装着状態において、下肢の各筋肉の覆う部分に応じて伸縮性を変え、これにより、下肢の筋肉をサポートして、下肢の運動機能を向上させるものである。  
しかし、このサポータは、サポータの伸縮性が下肢の筋力を補助しているにすぎず、本来の装着部位の運動機能を向上させるものではなかった。
【０００４】
【特許文献１】特開２００７−１８６８０３号公報
【発明の開示】
【発明が解決しようとする課題】
【０００５】
この発明は、装着部位に作用して、装着部位及びその周辺の運動機能を向上させることのできる着用物を提供することを目的とする。
【課題を解決するための手段】
【０００６】
この発明は、装着部位を周方向に覆う様に体の一部に装着し、装着部位を周方向に締め付ける筒状部を備えた着用物であって、前記筒状部の周方向半分に、装着部位を圧迫する圧迫手段を備え、前記周方向半分を、前記装着部位において、骨が体表面に近い側の骨側半面に設定した着用物であることを特徴とする。
【０００７】
上記着用物は、リスト部、アンクル部、肘、膝、腰に着用するサポータ、腰部及び太もも（大腿）までを一体的に着用するスパッツ、胴体胸部に着用するベスト、あるいは靴下等であることを含む。
【０００８】
上記構成により、装着部位を動かした場合、装着部位の骨側半面を圧迫手段が圧迫する。したがって、骨側半面にある筋肉やつぼを圧迫し、骨側の筋肉の緊張を解して柔軟にし、その筋力及び瞬発力を向上することができる。
【０００９】
また、この筋力及び瞬発力は、例えば回転等の動作において、回転するための筋力及びその瞬発力であるが、それだけでなく回転した部位を引き戻す力（以下において復元力という）、すなわち上記筋力及び瞬発力が筋肉を縮めることによって得ることのできる力とする場合の筋肉を伸ばす力も向上することができる。
【００１０】
これは、骨側半面にある筋肉やつぼを圧迫し、骨側の筋肉の緊張を解して柔軟にすることによって、普段の動作においては使用していない筋肉の緊張も解すことによって得ることができる。これによって、例えば、腰の回転、上肢による打撃、下肢によるキック等の全ての部位での動作を機敏で、衝撃力のある、すなわち力のある動作を実現することができる。
【００１１】
また、全周にわたって圧迫手段が圧迫した場合、逆に、筋肉が全周から圧迫によって圧力の逃げ場を確保できずに緊張が助長され、その筋力及び瞬発力を低下するとともに、上記復元力を得ることができないが、骨側と反対側の筋肉と比べて、薄く且つ硬い骨側の筋力を圧迫するため、圧迫効果の伝達効率が高く、圧迫手段によって筋肉が柔軟になり、筋力及びその瞬発力をより向上させ、復元力を得ることができる。
【００１２】
また、圧迫手段が支点として装着部位に作用するため、装着部位に負荷が生じた場合、圧迫手段を支点とする撓みが生じ、その反作用によって筋力を向上することができる。
【００１３】
この発明の態様として、前記骨側半面は、上肢における肘側の肘側半面、下肢における膝側の膝側半面、或いは胴部における背中側半面であることを特徴とすることができる。
【００１４】
上記上肢における肘側の肘側半面は、二の腕（上腕）の上腕二頭筋と反対側であって上腕骨に近い側の半面や、前腕の尺骨側の半面であることを含む。  
上記下肢における膝側の膝側半面は、太もも（大腿）の大殿筋や大腿二頭筋と反対側の大腿四頭筋側、或いは下腿（すね）の前脛骨筋側の半面であることを含む。  
上記胴部における背中側半面は、肩甲骨や脊椎側の半面であることを含む。
【００１５】
これにより、上肢に装着した場合、圧迫手段は、二の腕（上腕）の上腕三頭筋や、前腕の総指伸筋に作用するため、握力や、腕の振り降ろし等を担う腕力やその瞬発力、さらにはその腕を戻すための復元力を向上することができる。
【００１６】
また、下肢に装着した場合、圧迫手段は、太もも（大腿）の大腿四頭筋や、下腿（すね）の前脛骨筋等に作用するため、足の振り上げ等を担うキック力やその瞬発力、さらにはその足を戻すための復元力を向上することができる。
【００１７】
また、胴部に装着した場合、圧迫手段は、僧帽筋や広背筋に作用するため、腰部における回転力やその瞬発力、さらにはその腰を戻すための復元力を向上することができる。  
このように、所望の部位に着用物を装着することによって、その部位の運動機能を向上することができる。
【００１８】
また、この発明の態様として、前記圧迫手段を、適宜の弾性を有し、前記筒状部の軸方向に配設した弾性圧迫部材で構成することができる。  
上記弾性圧迫部材は、適宜の弾性を有する金属製、或いは樹脂製の板材或いは棒部材であることを含む。また、上記軸方向は、装着部位の長さ方向であることを含む。
【００１９】
これにより、装着部位に対する適度の圧迫力を確保するとともに、極度の負荷が生じた場合であっても、適宜の弾性により圧迫手段が撓み、装着部位を損傷することを防止することができる。
【００２０】
また、この発明の態様として、前記弾性圧迫部材を、脱着可能に複数備えることができる。  
上記脱着可能に複数備える弾性圧迫部材は、弾性圧迫部材を収納する収納手段を筒状部に複数備え、所望の箇所の収納手段に弾性圧迫部材を収納する構成、又は弾性圧迫部材と筒状部とに面ファスナ等の脱着手段を備え、筒状部の所望の箇所に、所望の数の弾性圧迫部材を装着する構成であることを含む。
【００２１】
これにより、所望の部位に対して複数の圧迫手段が作用するため、装着部位の運動機能をより向上することができる。また、複数の圧迫手段のそれぞれを脱着可能に構成したため、運動機能の向上度合いを装着する圧迫手段の個数に応じて調整することができる。
【００２２】
また、この発明の態様として、前記筒状部を、チタン成分、ラジウム成分またはブラックシリカ成分のうち少なくともひとつを有する布材で構成することができる。  
前記チタン、ラジウム、或いはブラックシリカは、それぞれ粉末状、あるいは粒子状で形成されていることを含む。
【００２３】
これにより、筒状部からチタン成分、ラジウム成分またはブラックシリカ成分のうち少なくともひとつによって遠赤外線及びマイナスイオンが放射され、装着部位の血行促進や体液浄化等の効果を得ることができる。したがって、装着部位の骨側とは反対側の半面にある筋肉やつぼの緊張を解して柔軟にするとともに活性化し、装着部位及びその周辺の筋力、その瞬発力、さらにはその復元力をより向上することができる。
【００２４】
また、この発明の態様として、前記布材を、弾性を有する弾性シート層と、チタン成分を含有するチタンシート層と、ラジウム成分及びブラックシリカ成分を含有し、前記弾性シート層と前記チタンシート層とを貼合する接着剤と、該接着剤で貼合した前記弾性シート層及び前記チタンシート層の表面を被覆する表皮層とで構成することができる。
【００２５】
上記弾性シート層は、天然ゴム等の天然樹脂、あるいはポリエチレン、アクリル樹脂、ポリアミド、ポリエステル、ポリプロピレン、ポリ塩化ビニル、ポリスチレン、ＡＢＳ樹脂、ポリカーボネート、ナイロン、ポリアセタール、フッ素樹脂、ポリ塩化ビニリデン、ポリプタジエン、塩酸ゴム等の少なくとも一種、またはそれらの複数からなる合成樹脂を主材とするシート状体であることを含む。
【００２６】
これにより、一般的に用いられている弾性シート層を用いて、チタン成分、ラジウム成分及びブラックシリカ成分を有する布材を構成することができる。したがって、装着部位の骨側とは反対側の半面にある筋肉やつぼを柔軟にするとともに活性化し、装着部位及びその周辺の全体の筋力、その瞬発力、さらにはその復元力を向上することができる着用物を低コストで、容易に製造することができる。
【００２７】
また、前チタン成分を含有するチタンシート層を、ラジウム成分及びブラックシリカ成分を含有する接着剤で弾性シート層に貼合せているため、耐久性のある上記機能を有する布材、すなわち上記機能を有する着用物を得ることができる。
【００２８】
また、この発明の態様として、前記布材の一部同士を、前記軸方向に対して平行に、導電性を有する導電性糸材で縫合して筒状を形成することができる。  
前記導電性糸材とは、ナイロン繊維、アラミド繊維、ポリエステル繊維、アクリル系繊維、ビニロン系繊維、ポリ塩化ビニル繊維、ビニリデン繊維、ポリエチレン繊維、ポリプロピレン繊維、またはポリウレタン繊維等の合成繊維の表面に銅金属等の金属製皮膜層を形成した糸材や、銅金属等の金属製粉末を練り込んで形成した糸材であることを含む。
【００２９】
これにより、導電性糸材がコロナ放電するため、布材から放射される遠赤外線及びマイナスイオンをより効果的に装着部位に作用させることができる。したがって、装着部位の骨側とは反対側の半面にある筋肉やつぼの緊張を解して柔軟にするとともに活性化し、装着部位及びその周辺の筋力、その瞬発力、さらにはその復元力をさらに向上することができる。  
また、銅金属を含有する場合、銅金属による抗菌、消臭効果を得ることもでき、着用物を清潔に保つことができる。
【００３０】
また、この発明の態様として、前記筒状部の前記骨側半面に、前記布材より高い弾性係数を有する弾性補強手段を備えることができる。  
弾性補強手段は、布材より高い弾性係数を有するネット状又は布状の補強材であることを含む。  
これにより、骨側半面を他方半面に比べて拘束するため、圧迫手段による装着部位の運動機能の向上の効果をより高めることができる。
【発明の効果】
【００３１】
この発明によれば、装着部位に作用して、装着部位の運動機能を向上させることのできる着用物を得ることができる。
【発明を実施するための最良の形態】
【００３２】
この発明の一実施形態を以下図面と共に説明する。  
プレスサポータ（１０，２０，２５，３０，４０，５０，６０，６５，７０）の着用状態を説明する説明図を示す図１と、リストバンド１０を前腕１３２に着用した状態の斜視図を示す図２と、同状態の前腕１３２の横断方向断面図を示す図３と、リストバンド１０へのプレスプレート８０の装着について展開図を用いて説明する説明図を示す図４とともに、プレスサポータについて説明する。
【００３３】
プレスサポータは、プレスプレート８０によって装着部位を圧迫することで装着部位の運動機能を向上するサポータであり、上肢１３０の前腕１３２の手首１３３に着用するリストバンド１０、上肢１３０の二の腕１３１に着用するアームバンド２０、リストバンド１０とアームバンド２０との間の肘１３１ａに装着するエルボバンド２５、胴体の胸部１１０に着用するサポートベスト３０、ウェスト部１２０に着用するウェストバンド４０、腰部１４０及び下肢１５０の大腿部１５１を一体的に被覆するサポートスパッツ５０、下腿部１５２から足首１５３までに着用するアンクルバンド６０、サポートスパッツ５０とアンクルバンド６０との間の膝部分に装着するニーバンド６５、足首１５３からつま先１５４までを被覆するサポートソックス７０の９種類がある。
【００３４】
まず、前腕１３２に着用するリストバンド１０について説明する。なお、前腕１３２は、二の腕１３１の下端にある肘１３１ａから手首１３３までの部分である。  
リストバンド１０は、前腕１３２の外径よりわずかに小さな径で形成された略円錐台形状の筒状部１１と、該筒状部１１の外面に４箇所備え、内部にプレスプレート８０の収容を許容するプレートポケット１２とで構成している。
【００３５】
筒状部１１は、図３に示すように、円弧形状の帯状の弾性布帛９０の両端部１１ａをつき合わせて、後述する導電性繊維８１で両端部１１ａ同士を掛け渡して縫合した長さ方向の縫合部１３を有する略円錐台形状を形成している。
【００３６】
プレスプレート８０は、両端を円弧形状に形成された金属製の板材であり、適宜の弾性を有している。  
プレートポケット１２は、プレスプレート８０よりひと回り大きなＵ字型であり、装着する前腕１３２の長さ方向で放射状に配置されている。なお、筒状部１１を展開した平面図である図４に示すように、プレートポケット１２は弾性布帛９０の中央に配置せず、両端側から２ヶ所に間隔を隔てて配置している。
【００３７】
なお、Ｕ字型の上端を開口し、その他の外縁を弾性布帛９０に縫合してポケット状を形成している。したがって、上端の開口側からプレートポケット１２の内部にプレスプレート８０を収容することができる。  
導電性繊維８１は、ナイロン繊維表面に銅金属製皮膜層を形成した繊維である。
【００３８】
筒状部１１を構成する弾性布帛９０は、弾性布帛９０の構成を説明する図５に示すように、両表面に配置したジャージ生地９１と、チタン成分が含有されたチタンシート９２と、適宜の厚みで構成されたクロロプレーンゴムシート９３と、チタンシート９２及びクロロプレーンゴムシート９３を接着する接着層９４とで構成している。
【００３９】
ジャージ生地９１は、例えば７０デニールのような太いナイロン繊維を用いて構成し、チタンシート９２は、チタン粉末が含有されたシート状体である。なお、チタンはアレルギー反応を起こしにくい体に優しい金属である。
【００４０】
クロロプレーンゴムシート９３は、内部に無数の独立した気泡を有するクロロプレーンゴムのシートであり、接着層９４は、ブラックシリカ粉末とラジウム粉末を含有する接着剤による層である。
【００４１】
ブラックシリカ粉末は天然鉱石であるブラックシリカ（学名：黒鉛珪石）を粉砕した粉末体であり、天然ミネラルをふんだんに含み、遠赤外線や微弱な放射線（α線、β線、γ線）を安定して放射することができる。したがって、ブラックシリカ粉末は消臭、防菌、防カビ、防湿効果を有するとともに、身体に対し、血流の促進、発汗作用、痛みの緩和作用、暖め作用及び安眠作用を与えることができる。  
ラジウム粉末は、ラジウム鉱石を粉砕した粉末体であり、ラジウムがα線を放射しながら崩壊し、放射能を有するガス状のラドンを多く発生する。
【００４２】
上記構成の弾性布帛９０は、装着部位の体温を外部に逃がすことなく、また、外気をシャットアウトすることができる。したがって、装着部位の保温性を確保することができる。
【００４３】
このような構成のリストバンド１０を、筒状内部に前腕１３２を挿入し、前腕１３２の骨側断面１３２ａに縫合部１３となるように着用する（図３参照）。なお、骨側断面１３２ａは、前腕１３２左右両側方から図示省略する尺骨側の略半断面に設定し、図示省略する橈側手根屈筋側の残りの略半断面を筋肉側断面１３２ｂに設定している。なお、骨側断面１３２ａは筋肉側断面１３２ｂの橈側手根屈筋と比較して、硬く薄い総指伸筋や尺側手根伸筋がある。
【００４４】
したがって、このようにリストバンド１０を前腕１３２に着用することによって、弾性布帛９０のクロロプレーンゴムシート９３の伸縮性により、筒状部１１は前腕１３２を周方向に締め付ける。この状態で前腕１３２を動かすと、前腕１３２の橈側手根屈筋、総指伸筋や尺側手根伸筋等の筋肉が伸縮する。
【００４５】
このとき、骨側断面１３２ａ側の筒状部１１のプレートポケット１２にプレスプレート８０を収容しているため、プレスプレート８０が骨側断面１３２ａ側の総指伸筋や尺側手根伸筋を圧迫する。
【００４６】
詳しくは、前腕１３２を動かすと、前腕１３２の筋肉が力を出すために縮んで前腕１３２の断面が大きくなるが、前腕１３２は筒状部１１によって締め付けられているため、プレートポケット１２に収容されたプレスプレート８０が骨側断面１３２ａ側の筋肉を圧迫する。
【００４７】
このプレスプレート８０による筋肉の圧迫によって筋肉に対するマッサージ効果を得ることができ、圧迫された筋肉の緊張を解して筋肉を柔軟にし、この柔軟になって筋肉の筋力及びその瞬発力を向上することができる。
【００４８】
さらには、動かした前腕１３２を戻すための復元力も向上する。これは、プレスプレート８０による骨側断面１３２ａの筋肉やつぼの圧迫によって、骨側断面１３２ａの筋肉の緊張を解れて柔軟になり、普段の動作においては使用していない筋肉の緊張も解すことによって得ることができる。
【００４９】
なお、筒状部１１の全周にプレスプレート８０を装備した場合、逆に、前腕１３２全体の筋肉が全周から圧迫によって圧力の逃げ場を確保できずに緊張が助長され、その筋力及び瞬発力を低下するとともに、上記復元力を得ることができない。
【００５０】
しかし、リストバンド１０のように、前腕１３２の両側方から骨側断面１３２ａの半面にプレスプレート８０をと略等間隔で４つ装備したことにより、筋肉側断面１３２ｂ側の筋肉と比較して薄く、且つ硬い骨側断面１３２ａ側の筋肉をプレスプレート８０は均等に圧迫するため、圧迫効果の伝達効率が高く、プレスプレート８０によって筋肉が柔軟になり、筋力及びその瞬発力をより向上させ、復元力を得ることができる。
【００５１】
また、骨側断面１３２ａ側にプレスプレート８０を装着しているため、前腕１３２に負荷が作用した場合、プレスプレート８０が支点となって前腕１３２は負荷の作用方向と反対側に撓み、その撓みに対する反作用が、前腕１３２に作用して、前腕１３２の筋力及び動作スピードを向上することができる。
【００５２】
また、筒状部１１を弾性布帛９０で構成しているため、前腕１３２の保温性を確保できるとともに、血行促進や体液浄化等の効果を得ることができ、それにより、前腕１３２の筋肉側断面１３２ｂ側の筋肉の緊張も解し、前腕１３２の筋肉全体の筋力及びその瞬発力を向上することができる。
【００５３】
したがって、筋肉の余計な緊張をほぐすことができ、精度を要することの必要なゴルフやアーチェリー等において、微妙に筋力をコントロールして、高精度なプレイを行うことができるとともに、復元力も向上するため、機敏で、衝撃力のある、すなわち力のある動作を実現することができる。
【００５４】
なお、上述した弾性布帛９０の血行促進や体液浄化等の機能について詳述すると、弾性布帛９０の機能について説明する説明図である図６に示すように、弾性布帛９０で構成された筒状部１１が前腕１３２に接触することによって、弾性布帛９０が有するチタン成分、ラジウム成分及びブラックシリカ成分が前腕１３２に対して遠赤外線及びマイナスイオンを放射する。それにより、弾性布帛９０で構成した筒状部１１を着用した前腕１３２の体液中の水分がマイナスイオン化して、体液自体が弱アルカリとなる。
【００５５】
このように、体液が弱アルカリ化することにより、体に流れる生体電流が流れやすくなる。この生体電流は体内を流れる微弱な電流であり、たとえば、大脳からの生体情報を電気信号として神経回路を介して末梢神経領域まで伝達する等の人間の生命維持活動を担っている。そして、疲労やストレスによって、この生体電流の流れが乱れると体調不良等を引き起こす。
【００５６】
しかし、上述したように、弾性布帛９０によって体液が弱アルカリ化することで生体電流の流れがスムーズになり、さらに、生体電流の流れがスムーズになることによって体液の浄化は促進される。これにより、生体情報の電気信号の伝達も活性化し、筋肉の動作を円滑にすることができる。
【００５７】
さらにまた、弾性布帛９０が有するチタン成分、ラジウム成分及びブラックシリカ成分の相乗効果によって、体液中の水粒子を細分化することができるため、水粒子のマイナスイオン化による体液自体の弱アルカリ化の効果をより向上することができる。
【００５８】
なお、弾性布帛９０による水粒子を細分化の確認試験について説明すると、２つのコップＡ，Ｂに水道水を入れ、一方のコップＡに弾性布帛９０を浸して１０秒程度かき回し、両方のコップＡ，Ｂに墨汁を一適たらして（図７（a）参照）、その墨汁の広がり方を観察した。
【００５９】
その結果、試験結果を示す試験結果説明図である図７に示すように、通常の水道水が入ったコップＢは墨汁が表面と底部付近の２箇所に分離するのに対し、コップＡの墨汁は全体に広がった。
【００６０】
この結果から、コップＢに入っている通常の水道水は水粒子が大きいため、墨汁は水粒子と混ざり難く、水表面に墨汁の膜を形成するとともに、底面付近にたまって分離しているが、水粒子と混ざって墨汁が全体に広がったことからコップAの水粒子は、弾性布帛９０によって水粒子が細分化されていることがわかる。
【００６１】
このようにして、弾性布帛９０は体内の２／３を構成する水の粒子を細分化するため、水粒子のマイナスイオン化による体液自体の弱アルカリ化の効果をより向上することができる。
【００６２】
なお、マイナスイオンは身体にもともと備わった生体防衛機能と自然治癒力とを活発にして免疫力及び内分泌ホルモンを向上させるとともに、プラスイオンによって酸化された身体を還元させることで新陳代謝を活発にすることができる。
【００６３】
また、マイナスイオンは、体内のプラスイオンが血液中に侵入して起こるデコボコ状や団子状に連なった正常でない赤血球と結合し、該赤血球を正常な丸状に改善することができ、健康な血液に活性化するという血液浄化効果も得ることができる。
【００６４】
また、マイナスイオンとともに照射される遠赤外線は目視できない長波長の光線であり、物質の中心の深部を温めることができる。したがって、遠赤外線を照射することによって、身体を芯から暖めて新陳代謝を活発にさせることができるとともに、体内の毒素を体外に排出させることもできる。
【００６５】
また、弾性布帛９０は、装着部位の体温を外部に逃がすことなく、また、外気をシャットアウトすることができ、装着部位の保温性を確保することができるため、前腕１３２の筋肉の緊張を解すことができる。
【００６６】
詳述すると、装着部位の暖めによる筋肉の緊張の解しについて説明する図８に示すように、筋肉が緊張したり、脂肪が増えることによって血管２００は細くなり、赤血球２０１の移動すなわち血流が悪くなるが、装着部位を暖めることにより、筋肉の緊張は解れ、血管２００は広がり赤血球２０１の移動がスムーズとなり、体内のエネルギーの循環が活性化する。したがって、緊張が解れた筋肉も活性化される。
【００６７】
また、縫合部１３を導電性繊維８１で縫合し、縫合部１３を骨側断面１３２ａ側となるように前腕１３２にリストバンド１０を着用したため、導電性繊維８１の通電性により弾性布帛９０から放射されるマイナスイオンをより効果的に前腕１３２に作用させることができる。
【００６８】
さらには、導電性繊維８１のコロナ放電により、弾性布帛９０からのマイナスイオンの放射をより活性化することができ、体液自体の弱アルカリ化の効果をより向上することができる。  
また、銅金属製皮膜層を備えた導電性繊維８１を用いたことにより、同金属による黄色ブドウ球菌等に対する抗菌作用や、消臭作用を得ることができる。
【００６９】
このようにして、プレスプレート８０を縫合部１３に収容したリストバンド１０を前腕１３２に着用することで、プレスプレート８０を支点とする反作用効果による筋力向上、プレスプレート８０による圧迫マッサージ効果によって骨側断面１３２ａ側の筋肉の緊張を解し、弾性布帛９０からのマイナスイオンの放射による体液自体の弱アルカリ化によって生体電流の通電性が向上し、それに伴う筋肉及び伝達神経の活性化、さらには弾性布帛９０による保温性による前腕１３２の筋肉の緊張を解した結果、前腕１３２の瞬発力や復元力を向上するとともに、筋力を向上することができる。
【００７０】
さらに、前腕１３２の筋肉全体の緊張が解け、筋肉及び伝達神経が活性化されるため、微妙な筋肉のバランスをコントロールでき、精度のよいプレイを実現することができる。
【００７１】
なお、本実施例においては、リストバンド１０に対して４つのプレスプレート８０を装着したが、握力腕力等の筋力アップ及び瞬発力向上のみを目的とする場合、リストバンド１０に２つのプレスプレート８０を装着するだけで十分な効果を得ることができる。
【００７２】
また、本実施例において、適宜の弾性を有した金属製の板材で形成したプレスプレート８０を備えたため、たとえば、転倒等によりプレスプレート８０に過度の負担がかかった場合であっても、プレスプレート８０の弾性により、装着部位を損傷することを防止しているが、同様に弾性を有する樹脂材で構成してもよい。
【００７３】
次に、本実施例のリストバンド１０の効果を確認するために実施した効果確認試験について説明する。  
効果確認試験は、１分間のインターバルを開けて３回の握力測定を、リストバンド１０の装着前と装着後においてそれぞれ左右両手で実施し、その握力の向上を確認した。測定は、図９に示すように、立位状態で計測し、装着後の計測はリストバンド１０を装着してから３分後に開始した。なお、握力計１６０は「ＴＡＫＥＩ社製ＧＲＩＰ−Ｄ」を用いている。１０名の測定結果を以下に示す。
【００７４】
【表１】
2009102780.tif 000003
上記表に示すように、１０名全ての測定者において、左右ともに握力が増加していることが確認できた。その増加率は最高１８％弱から最低でも４％の増加率を確認でき、全体の平均増加率は９％であった。このことからも、性別、年齢を問わずリストバンド１０を装着したことによる握力増加効果を確認することができた。
【００７５】
また、この試験結果から、手首１３３に装着したリストバンド１０によって握力が向上したように、装着箇所の箇所から少し離れた場所であっても筋力を向上できることが確認できた。これは、ひとつの筋力は複数の筋肉や腱が密接に関連しており、リストバンド１０の効果がそのうちのいずれかに作用したことによるものであると考えられる。
【００７６】
続いて、その他のプレスサポータであるアームバンド２０について説明すると、二の腕１３１に着用するアームバンド２０は、上腕二頭筋と反対側であって上腕骨に近い側の肘１３１ａ側の半面に上肢１３０の長さ方向に配設した２本のプレスプレート８０を装着するとともに、導電性繊維８１で縫合した長さ方向の縫合部を備える弾性布帛９０で構成したバンドである。
【００７７】
上記構成により、プレスプレート８０は二の腕１３１の上腕三頭筋に作用するとともに、リストバンド１０と同様の作用により、上肢１３０の振り降ろしや回転等を担う腕力やその瞬発力、さらには、その二の腕１３１を戻すための復元力を向上することができる。
【００７８】
また、肩部関節周辺の筋肉や腱の緊張を解すことができるため、上体のひねり等の動きもスムーズに行うことができるとともに、肩部関節を損傷する危険性を低減することができる。
【００７９】
エルボバンド２５は、図１０に示すように、肘１３１ａに着用する弾性布帛９０で構成した筒状のサポータであり、上腕二頭筋と反対側であって上腕骨に近い側の半面に、上肢１３０の長さ方向に配設した８本のプレスプレート８０を装着している。この８本のプレスプレート８０の配置は、肘１３１ａ対応する部分を挟んだ上肢１３０の長さ方向の両側に４本ずつ離間して配置している。
【００８０】
なお、プレスプレート８０を備えた側に導電性繊維８１で縫合した長さ方向の縫合部を備えるとともに、上腕二頭筋側の長さ方向中央部分、すなわち肘裏部分に、上肢１３０の折れ曲がりに支障しないようの貫通孔２６（図１０（ｂ）参照）を備えている。
【００８１】
これにより、前腕１３２の振り降ろしや回転等を担う腕力やその瞬発力、さらにはその前腕１３２を戻すための復元力を向上することができる。また、肘１３１ａを構成する関節周辺の筋肉や腱の緊張を解すことができるため、腕の折り曲げ等の動きもスムーズに行うことができるとともに、関節が緩むことによって、関節を損傷する危険性を低減することができる。
【００８２】
サポートベスト３０は、胸部１１０に着用する弾性布帛９０で構成したノースリーブ型のサポータであり、肩甲骨に近い背中側に２本の背丈方向のプレスプレート８０を配設するとともに、導電性繊維８１で縫合した長さ方向の縫合部を備えている。
【００８３】
これにより、プレスプレート８０は僧帽筋や広背筋に作用するとともに、リストバンド１０と同様の作用により、上肢１３０の上げ降ろし、振り回しや、胸部１１０のひねりや起こし等を担う腕力、背筋力等やその瞬発力、さらにはその上肢１３０や胸部１１０を戻すための復元力を向上することができる。
【００８４】
また、肩関節周辺の筋肉や腱の緊張を解すことができるため、腕の上げ降ろし等の動きもスムーズに行うことができるとともに、肩関節を損傷する危険性を低減することができる。
【００８５】
ウェストバンド４０は、ウェスト部１２０に着用する弾性布帛９０で構成した筒状のサポータであり、脊椎近くの半面側に背丈方向の４本のプレスプレート８０を配設するとともに、導電性繊維８１で縫合した長さ方向の縫合部を備えている。
【００８６】
これにより、プレスプレート８０は広背筋の下部に作用するとともに、リストバンド１０と同様の作用により、ウェスト部１２０における回転力やその瞬発力、さらにはそのウェスト部１２０のひねりを戻すための復元力を向上することができる。  
また、腰部関節周辺の筋肉や腱の緊張を解すことができるため、上体のひねり等の動きもスムーズに行うことができるとともに、腰部関節を損傷する危険性を低減することができる。
【００８７】
サポートスパッツ５０は、腰部１４０及び大腿部１５１を一体的に被覆するズボンタイプの弾性布帛９０で構成したサポータであり、太もも（大腿）の大腿四頭筋側の半面側に下肢１５０の長さ方向のプレスプレート８０を２本ずつ配設するとともに、導電性繊維８１で縫合した長さ方向の縫合部を備えている。
【００８８】
これにより、プレスプレート８０は大腿四頭筋に作用するとともに、リストバンド１０と同様の作用により、下肢１５０の蹴り上げ等を担うキック力やその瞬発力、さらにはその下肢１５０を戻すための復元力を向上することができる。
【００８９】
また、股関節周辺の筋肉や腱の緊張を解すことができるため、下肢１５０がまっすぐなり、歩行力が向上するとともに、股関節を損傷する危険性を低減することができる。
【００９０】
アンクルバンド６０は、下腿部の足首１５３付近に着用する弾性布帛９０で構成した筒状のサポータであり、下腿（すね）の前脛骨筋側の半面に下肢１５０の長さ方向の４本のプレスプレート８０を配設するとともに、導電性繊維８１で縫合した長さ方向の縫合部を備えている。
【００９１】
これにより、プレスプレート８０は前脛骨筋に作用するとともに、リストバンド１０と同様の作用により、下肢１５０の蹴り上げ等を担うキック力やその瞬発力、下肢１５０を戻すための復元力、さらには、足首１５３の可動力等を向上することができる。
【００９２】
また、足首の関節周辺の筋肉や腱の緊張を解すことができるため、下肢１５０がまっすぐなり、歩行がスムーズに行うことができるとともに、足首の関節を損傷する危険性を低減することができる。
【００９３】
ニーバンド６５は、図１０に示すように、膝に着用する弾性布帛９０で構成した筒状のサポータであり、大腿四頭筋側の半面に、下肢１５０の長さ方向に配設した８本のプレスプレート８０を装着している。この８本のプレスプレート８０の配置は、膝対応する部分を挟んだ下肢１５０の長さ方向の両側に４本ずつ離間して配置している。
【００９４】
なお、プレスプレート８０を備えた側に導電性繊維８１で縫合した長さ方向の縫合部を備えるとともに、大腿四頭筋側の長さ方向中央部分、すなわち膝裏部分に、下肢１５０の折れ曲がりに支障しないようの貫通孔６６（図１０（ｂ）参照）を備えている。
【００９５】
これにより、下腿部１５２の振り降ろしや回転等を担う脚力やその瞬発力、さらにはその下腿部１５２を戻すための復元力を向上することができる。また、膝を構成する関節周辺の筋肉や腱の緊張を解すことができるため、下肢１５０の折り曲げ等の動きもスムーズに行うことができるとともに、関節が緩むことによって、関節を損傷する危険性を低減することができる。
【００９６】
図１１（ａ）に示すように、サポートソックス７０は、足首１５３からつま先１５４までを覆う靴下型の弾性布帛９０で構成したサポータであり、脛から足首１５３までの足の甲側の半面と、足の甲部分とに樹脂製のプレスプレート８０を長さ方向に弾性布帛９０と一体形成するとともに、足の甲部分に長さ方向の導電性繊維８１で構成した縫合部を備えている（図示省略）。
【００９７】
これにより、リストバンド１０と同様の作用により、足首の関節が緩んで足首１５３の可動力等を向上することができる。したがって、サッカー等の足首に動きが重要となるスポーツにおいて高精度なコントロールを実現することができる。
【００９８】
また、図１１（ｂ）に示すように、足指に合わせてつま先１５４部分が５本に分かれた５本指のサポートソックス７０ａの場合、サポートソックス７０と同様に、足の甲部分に弾性布帛９０と一体形成した樹脂製のプレスプレート８０と導電性繊維８１で構成した縫合部を備えるとともに、各足指部分に小さい樹脂製のプレスプレート８０を備えている。
【００９９】
これにより、サポートソックス７０と同様の作用を得ることができるとともに、足指の関節が緩むため、足指にかかる力をコントロールして踏ん張ることができる。したがって、安定した姿勢を実現することができる。
【０１００】
このように、プレスサポータを筋力やその瞬発力、さらにはその復元力の向上を図りたい部位に、その部位用のプレスサポータを着用することで、装着部位の筋力、及びその瞬発力を向上することができるとともに、装着部位を高精度でコントロールすることができる。  
なお、プレスサポータを着用することによって、弾性布帛９０の血行促進や体液浄化等の作用機能も得ることができ、着用者の健康促進を促すこともできる。
【０１０１】
また、筒状部１１と骨側断面１３２ａ（図３参照）との間にメッシュ樹脂を設けても良い。このメッシュ樹脂は、弾性布帛９０の伸縮性に寄与するクロロプレーンゴムシート９３の伸縮性、すなわち弾性より高い弾性（およそ１．１５〜１．２５倍）を有する可撓性のある半楕円断面のメッシュ状樹脂であり、筒状部１１と骨側断面１３２ａとの間に設けることによって、骨側断面１３２ａの筋肉を拘束することとなる。  
したがって、装着部位の半断面の拘束を高めることができ、装着部位全体の筋肉の緊張をより解して、運動機能をより向上することができる。
【０１０２】
また、上記実施例において、ジャージ生地９１、チタン成分が含有されたチタンシート９２、クロロプレーンゴムシート９３及び接着層９４からなる弾性布帛９０でプレスサポータを構成したが、プレスサポータを構成する弾性布帛９０に複数の貫通孔を備えてもよいし、メッシュ状の弾性布帛９０で構成してもよい。
【０１０３】
これにより、プレスサポータの通気性を確保することができ、筋肉や腱の緊張による握力やその瞬発力が低下することを防止できる。詳しくは、プレスサポータを装着したことによって、装着部位の通気性が悪くなると、生体電流の流れが悪くなり、生体電流の流れの悪化によって装着部位付近の血流が悪くなって筋肉や腱が緊張するが、通気性を確保することにより、生体電流の流れの悪化を防止することができる。したがって、筋肉や腱の緊張による握力やその瞬発力が低下することを防止できる。
【０１０４】
また、上記実施例において、両端を円弧形状に形成された金属製の板材であり、適宜の弾性を有するプレスプレート８０をプレートポケット１２に装着したが、適宜の弾性を有する金属製又は樹脂製の複数本のワイヤーをプレスプレート８０の代用として、或いはプレスプレート８０に合わせてプレートポケット１２に装着しても良い。これにより、プレスプレート８０と同様の効果やプレスプレート８０を補強する効果を得ることができる。
【０１０５】
この発明の構成と、上述の実施形態との対応において、
この発明の装着部位は、胸部１１０、ウェスト部１２０、二の腕１３１、肘３１１ａ、前腕１３２、腰部１４０、大腿部１５１、下腿部１５２、膝部或いは足首１５３からつま先１５４までの部分に対応し、
以下同様に、
着用物は、プレスサポータ、リストバンド１０、アームバンド２０、エルボバンド２５、サポートベスト３０、ウェストバンド４０、サポートスパッツ５０、アンクルバンド６０、ニーバンド６５或いはサポートソックス７０に対応し、
圧迫手段又は弾性圧迫部材は、プレスプレート８０に対応し、
骨側半面は、骨側断面１３２ａに対応し、
布材は、弾性布帛９０に対応し、
弾性シート層は、チタンシート９２に対応し、
チタンシート層は、クロロプレーンゴムシート９３に対応し、
接着剤は、接着層９４に対応し、
表皮層は、ジャージ生地９１に対応し、
導電性糸材は、導電性繊維８１に対応するも、
この発明は、上述の実施形態の構成のみに限定されるものではなく、多くの実施の形態を得ることができる。
【図面の簡単な説明】
【０１０６】
【図１】プレスサポータの着用状態を説明する説明図。
【図２】リストバンドを前腕に着用した状態の斜視図。
【図３】リストバンドを前腕に着用した状態の前腕の横断方向断面図。
【図４】リストバンドへのプレートの装着について展開図を用いて説明する説明図。
【図５】弾性布帛の構成を説明する説明図。
【図６】弾性布帛の機能について説明する説明図。
【図７】水粒子を細分化についての確認試験の試験結果を示す試験結果説明図。
【図８】装着部位の暖めによる筋肉の緊張の解しについて説明する説明図。
【図９】リストバンドの効果確認試験の測定状況を説明する説明図。
【図１０】エルボバンド及びニーバンドについて説明する説明図。
【図１１】サポートソックスについて説明する説明図。
【符号の説明】
【０１０７】
１０…リストバンド
１１…筒状部
２０…アームバンド
２５…エルボバンド
３０…サポートベスト
４０…ウェストバンド
５０…サポートスパッツ
６０…アンクルバンド
６５…ニーバンド
７０，７０ａ…サポートソックス
８０…プレスプレート
８１…導電性繊維
９０…弾性布帛
９１…ジャージ生地
９２…チタンシート
９３…クロロプレーンゴムシート
９４…接着層
１１０…胸部
１２０…ウェスト部
１３１…二の腕
１３１ａ…肘
１３２…前腕
１３２ａ…骨側断面
１４０…腰部
１５１…大腿部
１５２…下腿部
１５４…つま先
【図１】
2009102780.tif 000004
【図２】
2009102780.tif 000005
【図３】
2009102780.tif 000006
【図４】
2009102780.tif 000007
【図５】
2009102780.tif 000008
【図６】
2009102780.tif 000009
【図８】
2009102780.tif 000010
【図１０】
2009102780.tif 000011
【図１１】
2009102780.tif 000012
【図７】
2009102780.tif 000013
【図９】
2009102780.tif 000014